(57)【要約】【目的】人体に埋め込まれたカテーテルとポートとの接続部分およびその近傍に人体の動きによる外力が加わっても、ポートとの接続部分およびその近傍におけるカテーテルが折損することがないようにする。【構成】人体に埋め込まれたカテーテル内に液剤を注入するポートとの接続部分およびその近傍におけるカテーテルの折損を防止するための部材であって、弾力性のある線材からなり、ポート内に弾性変形をもって挿入される先端が湾曲したストッパー部と、カテーテル内に挿入される補強部とからなるカテーテル折損防止用部材。【選択図】      図３
2005211637.tif 000002
【特許請求の範囲】
【請求項１】
人体に埋め込まれたカテーテル内に液剤を注入するポートとの接続部分およびその近傍におけるカテーテルの折損を防止するための部材であって、弾力性のある線材からなり、ポート内に弾性変形をもって挿入される先端が湾曲したストッパー部と、カテーテル内に挿入される補強部とからなるカテーテル折損防止用部材。
【請求項２】
線材が、芯線にコイル素線巻き付けた構造であることを特徴とする請求項１の記載によるカテーテル折損防止用部材。
【請求項３】
ストッパー部の線径が補強部よりも細いことを特徴とする請求項１の記載によるカテーテル折損防止用部材。
【請求項４】
線材が形状記憶合金からなり、常温または体温でストッパー部の形状が復元するようにしたことを特徴とする請求項１の記載によるカテーテル折損防止用部材。
【発明の詳細な説明】
【技術分野】
【０００１】  本発明は、人体に埋め込まれたカテーテル内に液剤を注入するポートとの接続部分およびその近傍におけるカテーテルの折損を防止するためのカテーテル折損防止用部材に関する。
【背景技術】
【０００２】  一般に、例えば、肝臓ガンの治療を行うために、図１に示すように、足の付け根から合成樹脂製のカテーテル１を大動脈６に挿入して肝臓７内にできたガン細胞８を治療するための液剤を定期的に皮膚内に埋め込んだポート２から注射器によって注入するようにしている。【０００３】  その場合、足の動きの影響をできるだけ受けることがないように、カテーテル１を足の付け根の上方に迂回させてポート２を配するようにしている。
【発明の開示】
【発明が解決しようとする課題】
【０００４】  解決しようとする問題点は、カテーテルおよびポートを人体に埋め込むに際して、人体の動きの影響をできるだけ受けることがないようにカテーテルおよびポートを配するようにしても、人体の動きの影響を完全になくすことはできず、人体の動きによる外力がポートとの接続部分およびその近傍におけるカテーテルに加わってそれが折れ曲がって折損したり、外力が部分的に繰り返し加わって弾性疲労によりカテーテルが折損するおそれがあることである。
【課題を解決するための手段】
【０００５】  本発明は、人体に埋め込まれたカテーテル内に液剤を注入するポートとの接続部分およびその近傍におけるカテーテルの折損を防止するため、弾力性のある線材からなり、ポート内に弾性変形をもって挿入される先端が湾曲したストッパー部と、カテーテル内に挿入される補強部とからなるカテーテル折損防止用部材を用いるようにしている。
【発明の効果】
【０００６】  このような本発明によるカテーテル折損防止用部材を装着すれば、人体の動きによる外力がカテーテルとポートとの接続部分およびその近傍に加わっても、それが前記部材の補強部によって吸収されて、ポートとの接続部分およびその近傍におけるカテーテルが折損するようなことが有効に防止される。
【実施例１】
【０００７】  本発明によるカテーテル折損防止用部材は、図２および図３に示すように、弾力性のある微細な線材３からなり、ポート２の円形の液室２１内に弾性変形をもって挿入される先端が円形の液室２１に沿うように湾曲したストッパー部３１と、ポート２との接続部分の近傍（人体の動きの影響を受ける範囲内）におけるカテーテル１内に液剤が通るのに充分な隙間をもって挿入される補強部３２とからなっている。【０００８】  その補強部３２の長さとしては、例えば、図１に示すような関係をもってカテーテル１およびポート２を配設するに際して、ポート２との接続部分の近傍における人体の動きの影響を受ける範囲を考慮して、３０ｃｍ程度に設定される。この場合、人体の動きによる外力が加わる部分としては、ポート２との接続部分ａ、カテーテル２の湾曲部分ｂおよび動脈への挿入部分ｃであり、補強部３２の長さを３０ｃｍ程度にしておけばそのａからｃまでの範囲をカバーできるようになる。【０００９】  また、本発明によるカテーテル折損防止用部材を用いれば、図１に示すようにカテーテル１を足の付け根の上方に湾曲させてポート２を配することなく、カテーテルをまっすぐに引き出してポートを足の付け根の下方に配するようにしてもカテーテルの折損を有効に防止できるようになる。この場合には、補強部３２の長さを３０ｃｍ以内（例えば２０ｃｍ程度）に設定しておけばよい。【００１０】  線材３は、それが例えばステンレス、Ｎｉ−Ｔｉ合金などの金属または合成樹脂からなっている。【００１１】  また、線材３としては、それが１本の素材からなるもの以外に、図４に示すように、芯線４にコイル素線５をしっかりと巻き付けた構造によるものが用いられる。【００１２】  芯線４にコイル素線５を巻き付けた線材３を用いる場合には、万一芯線４が折れてもそれに巻き付けてあるコイル素線５によって繋ぎ止められて、その折れた芯線４がカテーテル１内の奥方に移動していくことが防止される。また、線材３の強度が向上するとともに、スプリング効果が得られて線材３の弾力性や柔軟性が向上する。【００１３】  ポート２にはカテーテル１が装着されるノズル６が設けられており、そのノズル６にカテーテル１を差し込んだ状態でロック用のリング７を押し下げることによって、ノズル６に差し込まれたカテーテル１がポート２側に係止されるようになっている。そして、ポート２内部の液室２１がノズル６の孔につながっている。図３中、２２は注射針を刺すためのシリコンゴムなどからなる注射口である。【００１４】  図５および図６は、ポート２の液室２１が矩形になっており、線材３のストッパー部３１がその矩形の液室２１に沿うように湾曲するようにしたカテーテル折損防止用部材を示している。【００１５】  図７および図８は、線材３のストッパー部３１の線径を補強部３２よりも細くしたカテーテル折損防止用部材をそれぞれ示している。【００１６】  このように、線材３のストッパー部３１の線径を細くすることによって、ポート２内に弾性変形をもって挿入しやすくしている。【００１７】  また、カテーテル折損防止用部材としての線材３にＮｉ−Ｔｉなどからなる形状記憶合金を用いて、冷やした状態でストッパー部３１の形状が自在にな��、常温または体温でストッパー部３１の形状が湾曲状態に復元するようにしたものを用いるようにすれば、ポート２内への装着を簡単に行わせることができるようになる。
【産業上の利用可能性】
【００１８】  本発明によれば、カテーテルとポートとの接続部分にカテーテル折損防止用部材を装着することにより、人体の動きによる外力がカテーテルとポートとの接続部分およびその近傍に加わっても、それが前記部材の補強部によって吸収されて、ポートとの接続部分およびその近傍におけるカテーテルが折損するようなことが有効に防止されて信頼性が向上し、産業上有益となる。
【図面の簡単な説明】
【００１９】
【図１】カテーテルおよびポートを人体に埋め込んだ状態の一例を示す図である。
【図２】本発明によるカテーテル折損防止用部材の一構成例を示す図である。
【図３】図２に示すカテーテル折損防止用部材をカテーテルとポートとの接続部分に装着した状態を示す正面図である。
【図４】カテーテル折損防止用部材に用いられる線材の構造の一例を示す図である。
【図５】本発明によるカテーテル折損防止用部材の他の構成例を示す図である。
【図６】図５に示すカテーテル折損防止用部材をカテーテルとポートとの接続部分に装着した状態を示す正面図である。
【図７】本発明によるカテーテル折損防止用部材の他の構成例を示す図である。
【図８】本発明によるカテーテル折損防止用部材のさらに他の構成例を示す図である。
【符号の説明】
【００２０】１  カテーテル
２  ポート
２１  液室
３  線材（カテーテル折損防止用部材）
３１  ストッパー部
３２  補強部
４  ノズル
【図１】
2005211637.tif 000003
【図２】
2005211637.tif 000004
【図３】
2005211637.tif 000005
【図４】
2005211637.tif 000006
【図５】
2005211637.tif 000007
【図６】
2005211637.tif 000008
【図７】
2005211637.tif 000009
【図８】
2005211637.tif 000010